(57)【要約】【課題】  フレームカウンタ付きカメラの小型化【解決手段】  カメラは、各写真撮影毎に見ることができるフレーム数指示子の単一の数値目盛を有するフレームカウンタを備える。フレーム数指示子は、該指示子が奇数のみの列と偶数のみのその他の列に配列される。指示子表示切替体が、各写真撮影後に１の列から次の列へと可動であり、一の列の奇数若しくはその他の列の偶数が交互に見られるようにした。【選択図】  図２
2004177953.tif 000002
【特許請求の範囲】
【請求項１】
各写真撮影毎に見ることができるフレーム数指示子の単一の数値目盛を有するフレームカウンタを備えるカメラであって、
フレーム数指示子は、複数列に配列され、各写真撮影後に列が切り換えられる際に指示子の１つが順に見られるようにしたこと、及び、
指示子表示切替体は、フレーム数指示子の１つを順に表示するように、各写真撮影後に１の列から次の列へと可動であること、を特徴とするカメラ。
【請求項２】
各写真撮影毎に見ることができるフレーム数指示子の単一の数値目盛を有するフレームカウンタを用いるカメラにおける方法であって、
フレーム数指示子を、複数列に配列し、各写真撮影後に列が切り換えられる際に指示子の１つが順に見られるようにし、
各写真撮影後に１の列から次の列へと指示子表示切替体を動かし、フレーム数指示子の１つが順に表示されるようにしたこと、を特徴とする方法。
【発明の詳細な説明】
【技術分野】
【０００１】
本発明は、所謂一回きり若しくは使い捨てカメラのようなカメラに関し、特に、可視的なフレーム数を提供するカメラに関する。
【背景技術】
【０００２】
一回きりのフィルム及びカメラは、一般的に使い捨て若しくは一回きりカメラと称され、広く知られている。一回きりカメラは、簡易な被写体に向けてボタンを押すだけのカメラであり、主本体部内のカートリッジ室内の従来的なフィルムカートリッジと、主本体部内のフィルム供給室内のフィルム供給プールにフィルムカートリッジから事前巻取られる未露光フィルムロールと、主本体部内のカートリッジ室とフィルム供給室との間で開口するフィルム露光バックフレームと、固定焦点撮像レンズと、フィルムカートリッジ内のフィルム巻き取りスプールに同心に係合する手動回転可能なフィルム巻き取り用摘まみと、単一ブレードシャッターと、手動シャッター開放ボタンと、一列に配列されたフレーム数指示子の単一の数値目盛を有し、フレーム数指示子が連続的に見られるように増分的に回転されるフレームカウンタ輪と、フレームカウンタ輪の逆回転を防止するためフレームカウンタ輪に係合する逆回転防止爪と、前後のビューファインダレンズを有する直視可能なビューファインダと、あるモデルでは電子フラッシュとを含む。対の別々の前後カバー部は、主本体部及び／又はフロントカバー部に接続し、主本体部を光を通さないものにする。意匠的なカードボード外箱やラベルは、前後カバー部を少なくとも部分的に覆い、撮像レンズ等用の個々の開口を有する。
【０００３】
写真を取るため、シャッター開放ボタンが手動で押される。これにより、バネ付勢高エネルギーレバーが解放され、シャッターブレードに当たり、開口が回転され、露光アパーチャが開かれる。シャッターブレードに接続されるリターンスプリングは、シャッターブレードを回転させ、露光アパーチャが閉じられる。また、計量レバーは、写真撮影後にフィルム巻き取り方向での摘まみの手動回転を可能とすべく、回転して摘まみとのバネ付勢係合から離脱する。摘まみがフィルム巻き取り方向に回転されると、同様にフィルムカートリッジ内のフィルム巻き取りスプールが回転され、フィルムストリップの露光済みフィルムがバックフレーム開口からフィルムカートリッジに巻き取られ、フィルムストリップの未露光フィルムが未露光フィルムロールからバックフレーム開口に進められる。１フレーム幅より僅かに大きなフィルムストリップの巻き取り移動は、フィルムストリップの穴（パーホレーション）と係合する計量スプロケットを回転させ、フレームカウンタ輪を漸進的に回転させ、次に小さい番号の指示子が表示される。また、高エネルギーレバーは、リコック若しくはリセットされ、計量レバーは、摘まみと再び係合し、フィルム巻き取り方向での摘まみの更なる手動回転が防止され、カメラが次の写真を取る準備状態になる。
【０００４】
フィルムストリップで利用可能なフレームの最大数が露光され、フィルムストリップが完全にフィルムカートリッジに巻き取られた時、使い捨てカメラは、写真仕上げ者に渡され、写真仕上げ者は、後カバー部のカバードア部を壊して主本体部から外し、カートリッジ室から露光済みフィルムストリップを備えるフィルムカートリッジを取り出す。次いで、写真仕上げ者は、フィルムカートリッジから露光済みフィルムストリップを取り出し、潜像を現像し、顧客用のプリントを作成する。関連文献は以下の通りである。
【特許文献１】米国特許第２、５２２，３８７号明細書
【特許文献２】米国特許第３、０７３，２２９号明細書
【特許文献３】米国特許第３、６７８，８３４号明細書
【特許文献４】米国特許第３、７２２，３８６号明細書
【特許文献５】米国特許第４、９１８，４８５号明細書
【特許文献６】米国特許第５、５４１，６９０号明細書
【発明の開示】
【発明が解決しようとする課題】
【０００５】
フレームカウンタに関する従来技術の問題点として、使い捨てカメラは、人のポケットにフィットするほど十分にコンパクトであるべきである。しかし、フレームカウンタ輪は、そのフレーム数指示子の数値目盛が容易に見れるように大きくなければならない。
【課題を解決するための手段】
【０００６】
一般的に、各写真撮影毎に見ることができるフレーム数指示子の単一の数値目盛を有するフレームカウンタを備えるカメラであって、
フレーム数指示子は、複数列に配列され、各写真撮影後の列の切り換えの際に指示子の１つが順に見られるようにしたこと、及び、
指示子表示切替体が、各写真撮影後に１の列から次の列へと可動であり、フレーム数指示子の１つが順に見られるようにしたこと、を特徴とする。
【０００７】
より具体的には、各写真撮影毎に見ることができるフレーム数指示子の単一の数値目盛を有するフレームカウンタを備えるカメラであって、
フレーム数指示子は、該指示子が奇数のみの列と偶数のみのその他の列に配列され、
指示子表示切替体が、各写真撮影後に１の列から次の列へと可動であり、一の列の奇数若しくはその他の列の偶数が交互に見られるようにしたこと、を特徴とする。
【０００８】
フレーム数指示子は、少なくとも２列に配列されるので、フレームカウンタは、例えばホイール（輪）であるとき、比較的小さくすることができ、逆の言い方をすれば、多数のフレーム数指示子を有することができる。
【発明を実施するための最良の形態】
【０００９】
本発明は、使い捨て一回きりカメラに好ましく具現された状態で開示される。一回きりカメラの特徴は広く知られているので、次の説明は、開示される実施例の一部を構成するかそれと密接に協働する構成要素のみに特に向けられる。しかし、他の要素は、当業者に知られる種々の形態を取ってよいことは理解されるべきである。
【００１０】
図面を参照するに、図１及び図７は、不透明な主本体部１２、不透明なフロントカバー部１４、及び、不透明な外部リアカバー部１６を含む一回きりカメラ１０を示す。フロントカバー部１４及びリアカバー部１６は、それらの間に主本体部１２を収容し、公知の種の嵌合及び他の接続を介して、主本体部１２及び相互に離脱可能に接続される。
【００１１】
典型的なように、主本体部１２は、図１及び図７に示すように、３５ｍｍフィルムカートリッジ２０のための後方開口カートリッジ室１８、及び、回転可能なフィルム供給スプール２６上の未露光フィルム２４に対する後方フィルム供給室２２を有する。カメラ１０の組み立て中、未露光フィルムストリップ２８は、フィルムカートリッジ２０の回転可能なフィルム巻き取りスプール３０から、フィルム供給スプール２６の未露光フィルムロール２４へと事前に巻き取られる。主本体部１２の後方開口バックフレーム開口（図示せず）は、カートリッジ室１８とフィルム供給室２２の間に位置し、フロント固定焦点撮像レンズ３２、プレート３６の固定アパーチャ３４、主本体部１２の前方開口バックフレーム開口（図示せず）を通して周囲光を受けたときにフィルムストリップ２８の連続するフレームが露光される。撮像レンズ３２及びプレート３６は、主本体部１２に、露光開口に亘って、リテーナ３８を介して保持される。シャッターブレード４０は、主本体部１２に回転可能に設けられ、固定アパーチャ３４及び露光開口の下方に位置する。シャッターブレード４０は、シャッター開放ボタン４２が手動で押されたときに開側に回転され、露光開口及びアパーチャ開口３４が瞬時に開かれ、バネ付勢により閉にされてそれらが閉じられる。
【００１２】
フィルム巻き取り用摘まみ４４は、主本体部１２に回転可能に支持され、フィルムカートリッジ２０内のフィルム巻き取りスプール３０に同心に係合し、リアカバー部１６の細長い開口（図示せず）から周方向に出ている。図１及び図７参照。摘まみ４４は、手動でフィルム巻き取り方向、即ち図１及び図７の反時計方向に回転されると、同様にフィルム巻き取りスプール３０が回転される。これは、撮影後にフィルムストリップ２８の露光済みフレームをフィルムカートリッジ２０内に巻き取り、フィルムストリップの新しいフレームを未露光フィルムロール２４からバックフレーム開口と露光開口の間に移動させるために、なされる。１フレーム幅より僅かに大きなフィルムストリップ２８の巻き取り移動は、フィルムストリップの連続的な穴５０と係合する各々の外周歯４８を有し主本体部１２に回転可能に支持される計量スプロケット４６を、半回転即ち１８０°回転させる。図２及び図７参照。
【実施例１】
【００１３】
図１乃至図６では、計量スプロケット４６は、軸５６に沿って一体アクチュエータタブ５２及びカムピン５６に同心に接続される。フレームカウンタ輪５８は、主本体部１２に回転可能に支持され、内側の湾曲列６２には配列された連続的な奇数“１”，“３”，“５”，“７”，．．．“５３”と、外側の湾曲列６４には配列された連続的な偶数“０”，“２”，“４”，“６”，．．．“５４”とに分けられたフレームカウンタ数の数値目盛６０を有する。数字若しくは指示子表示切り替え体６６は、軸５６に沿って主本体部１２に回転可能に支持され、カムピン５４が嵌入される長穴７０を有し、写真が取られる毎に奇数列６２の奇数若しくは偶数列６４の偶数を交互に表示する単一の奇数／偶数表示窓７２を有する。奇数若しくは偶数の交互の表示は、図１に示す上部表示穴７４を介してなされる。
【００１４】
図３乃至図５を参照するに、１フレーム幅より僅かに大きなフィルムストリップ２８の巻き取り移動は、計量スプロケット４６を反時計回りに１８０°回転させ、アクチュエータタブ５２及びカムピン５４は、同様に軸５６まわりに回転される。本例では、アクチュエータタブ５２は、一時的にフレームカウンタ輪５８の外周歯７６の何れか１つに係合し、次に小さい数の設定まで図４及び図５で時計回りに輪を増分的に回転若しくは割送りする。これと同時に、カムピン５４は、数字表示切り替え体６６を軸６８まわりに反時計回りに６°回転させ、奇数／偶数表示窓７２を、図３の偶数列６４の偶数“５４”上から図５の奇数列６３の奇数“５４”上へと切り換える。
【００１５】
図５及び図６を参照するに、１フレーム幅より僅かに大きなフィルムストリップ２８の巻き取り移動は、計量スプロケット４６を反時計回りに１８０°回転させるとき、アクチュエータタブ５２及びカムピン５４は、同様に軸５６まわりに回転されることがわかる。本例では、アクチュエータタブ５２は、次に小さい数の設定まで図４及び図５のように輪を増分的に回転させるフレームカウンタ輪５８の外周歯７６の何れにも係合しない。その代わりに、輪５８は所定位置に留まる。このとき、カムピン５４は、数字表示切り替え体６６を軸６８まわりに時計回りに６°回転させ、奇数／偶数表示窓７２を、図４の奇数列６３の奇数“５３”上から図６の偶数列６４の偶数“５２”上へと切り換える。
【００１６】
従って、フレームカウンタ輪５８は、アクチュエータタブ５２を介して計量スプロケット４６に周期的に接続され、計量スプロケットが回転される一回おきに増分回転される。一方、数字表示切り替え体６６は、計量スプロケットが１８０°回転される毎に６°回転される。
【実施例２】
【００１７】
図７−１２では、計量スプロケット４６は、軸５６に沿ってアクチュエータタブ７８及び数字若しくは指示子表示切り替え体８０に同心に接続される。フレームカウンタ輪５８は、図１乃至図６のものと同一である。数字表示切り替え体８０は、図１乃至図６のものとは、計量スプロケット４６と同心に接続されている他、奇数列６２の奇数及び偶数列６４の偶数を各々に表示する奇数表示窓８２及び偶数表示窓８４を有する点で異なる。奇数表示窓８２及び偶数表示窓８４は、軸５６から同一距離だけ離れている。
【００１８】
図９乃至図１０を参照するに、１フレーム幅より僅かに大きなフィルムストリップ２８の巻き取り移動が、計量スプロケット４６を反時計回りに１８０°回転させるとき、アクチュエータタブ７８及び数字表示切り替え体８０は、同様に軸５６まわりに回転されることがわかる。この例では、アクチュエータタブ７８は、次に小さい数の設定まで図４及び図５のような輪を増分的に回転させるフレームカウンタ輪５８の外周歯７６の何れにも係合しない。その代わりに、輪５８は所定位置に留まる。このとき、数字表示切り替え体８０は、軸５６まわりに反時計回りに１８０°回転され、奇数表示窓８２を、図９の奇数列６２の奇数“３”上から図１０の偶数列６４の偶数“２”上へと切り換える。
【００１９】
図１０乃至図１２を参照するに、１フレーム幅より僅かに大きなフィルムストリップ２８の巻き取り移動が、計量スプロケット４６を反時計回りに１８０°回転させるとき、アクチュエータタブ７８及び数字表示切り替え体８０は、同様に軸５６まわりに回転されることがわかる。本例では、アクチュエータタブ７８は、フレームカウンタ輪５８の外周歯７６の何れに一時的に係合し、次に小さい数の設定まで図１１及び図１２で時計回りに輪を増分的に回転させる。これと同時に、数字表示切り替え体８０は、軸５６まわりに反時計回りに１８０°回転され、偶数表示窓８４を、図１０の偶数列６４の偶数“２”上から図１２の奇数列６２の奇数“１”上へと切り換える。
【００２０】
本発明は、ある好ましい実施例を特に参照して詳説されているが、本発明の精神及び観点の範囲内で種々の変形や修正ができることは理解されるべきである。例えば、次に小さい数字設定まで増分的に回転されるフレームカウンタ輪５８に代えて、次に高い設定に逆回転されてもよい。また、奇数列６２及び偶数列６４に代えて、奇数−偶数−奇数若しくは偶数−奇数−偶数のような、３以上の数字列であってよく、この場合、数字表示切り替え体６６若しくは８０が修正される必要がある。
【図面の簡単な説明】
【００２１】
【図１】本発明の一実施例によるフレームカウンタ及び駆動機構を含む使い捨てカメラの分解前面斜視図である。
【図２】図１に示すフレームカウンタ及び駆動機構の拡大図である。
【図３】フレームカウンタ及び駆動機構の動作を示す平面図である。
【図４】フレームカウンタ及び駆動機構の動作を示す平面図である。
【図５】フレームカウンタ及び駆動機構の動作を示す平面図である。
【図６】フレームカウンタ及び駆動機構の動作を示す平面図である。
【図７】本発明のその他の実施例によるフレームカウンタ及び駆動機構を含む使い捨てカメラの分解前面斜視図である。
【図８】図７に示すフレームカウンタ及び駆動機構の拡大図である。
【図９】フレームカウンタ及び駆動機構の動作を示す平面図である。
【図１０】フレームカウンタ及び駆動機構の動作を示す平面図である。
【図１１】フレームカウンタ及び駆動機構の動作を示す平面図である。
【図１２】フレームカウンタ及び駆動機構の動作を示す平面図である。
【符号の説明】
【００２２】
４６    計量スプロケット
５２    アクチュエータタブ
５６    カムピン
５８    フレームカウンタ輪
６０    数値目盛
６２    奇数列
６４    偶数列
６６    数字表示切り替え体
７０    長穴
７２    奇数／偶数表示窓
【図１】
2004177953.tif 000003
【図２】
2004177953.tif 000004
【図３】
2004177953.tif 000005
【図４】
2004177953.tif 000006
【図５】
2004177953.tif 000007
【図６】
2004177953.tif 000008
【図７】
2004177953.tif 000009
【図８】
2004177953.tif 000010
【図９】
2004177953.tif 000011
【図１０】
2004177953.tif 000012
【図１１】
2004177953.tif 000013
【図１２】
2004177953.tif 000014